(57)【要約】【課題】ディスプレイ部の位置を調整することが可能なアイグラスディスプレイを提供する。【解決手段】フレーム３の左右のリム３１，３２はそれぞれレンズ５，６を保持する。レンズ５，６の光軸に直交する方向へ延びる溝３１ａ，３１ｂを左リム３１に形成する。ディスプレイ部７のコンバイナ光学系８を溝３１ａ，３１ｂに移動可能に挿入する。【選択図】図１
2008061051.tif 000002
【特許請求の範囲】
【請求項１】
ブリッジを介して連結された２つのリムとこの２つのリムにそれぞれ連結された２つのテンプルとを有するフレームと、
前記２つのリムによって保持される２つのレンズと、
前記２つのレンズのうちの少なくとも一方のレンズに対向配置された導光板とこの導光板に映像を投影する表示光学系とで構成されたディスプレイ部と、
前記一方のレンズに対する前記ディスプレイ部の位置を調整する位置調整手段と
を備えていることを特徴とするアイグラスディスプレイ。
【請求項２】
前記位置調整手段は、前記一方のレンズを保持する前記リムに設けられ、前記導光板を保持する溝であることを特徴とする請求項１記載のアイグラスディスプレイ。
【請求項３】
前記溝が前記一方のレンズの前方に位置していることを特徴とする請求項２記載のアイグラスディスプレイ。
【請求項４】
前記溝が前記一方のレンズの後方に位置していることを特徴とする請求項２記載のアイグラスディスプレイ。
【請求項５】
前記位置調整手段は、前記一方のレンズを保持する前記リムに設けられ、前記一方のレンズの光軸方向へ延びる支持板と、前記ディスプレイ部に設けられ、前記２つのレンズのいずれの光軸にもほぼ直交する方向へ延び、前記支持板によって前記直交する方向へ移動可能に支持されるピンと、前記直交する方向へ延び、前記支持板にねじ込まれるとともに前記ディスプレイ部に回転可能に連結されたねじとで構成されていることを特徴とする請求項１記載のアイグラスディスプレイ。
【発明の詳細な説明】
【技術分野】
【０００１】
この発明はアイグラスディスプレイに関する。
【背景技術】
【０００２】
従来、イメージングアッセンブリーと光学要素とハウジングアッセンブリーとを備えているディスプレイデバイスが知られている（下記特許文献１参照）。ハウジングアッセンブリーを用いてイメージングアッセンブリーや光学要素を眼鏡フレームに取り付けたり、眼鏡フレームから取り外したりすることができる。
【特許文献１】特表２００１−５２２０６４号公報
【発明の開示】
【発明が解決しようとする課題】
【０００３】
上述のディスプレイデバイスでは使用者の眼に対するイメージングアッセンブリーや光学要素の左右方向（使用者から見たときの左右方向）の位置を調整することはできない。
【０００４】
この調整ができないため使用者によって異なる使用条件（いわゆる眼幅）に対応することができず、イメージアッセンブリーによって表示された映像が二重に見えるという問題が生じる。
【０００５】
この発明はこのような事情に鑑みてなされたもので、その課題はディスプレイ部の位置を調整することが可能なアイグラスディスプレイを提供することである。
【課題を解決するための手段】
【０００６】
前述の課題を解決するため請求項１の発明のアイグラスディスプレイは、ブリッジを介して連結された２つのリムとこの２つのリムにそれぞれ連結された２つのテンプルとを有するフレームと、前記２つのリムによって保持される２つのレンズと、前記２つのレンズのうちの少なくとも一方のレンズに対向配置された導光板とこの導光板に映像を投影する表示光学系とで構成されたディスプレイ部と、前記一方のレンズに対する前記ディスプレイ部の位置を調整する位置調整手段とを備えていることを特徴とする。
【０００７】
請求項２の発明は、請求項１記載のアイグラスディスプレイにおいて、前記位置調整手段は、前記一方のレンズを保持する前記リムに設けられ、前記導光板を保持する溝であることを特徴とする。
【０００８】
請求項３の発明は、請求項２記載のアイグラスディスプレイにおいて、前記溝が前記一方のレンズの前方に位置していることを特徴とする。
【０００９】
請求項４の発明は、請求項２記載のアイグラスディスプレイにおいて、前記溝が前記一方のレンズの後方に位置していることを特徴とする。
【００１０】
請求項５の発明は、請求項１記載のアイグラスディスプレイにおいて、前記位置調整手段は、前記一方のレンズを保持する前記リムに設けられ、前記一方のレンズの光軸方向へ延びる支持板と、前記ディスプレイ部に設けられ、前記２つのレンズのいずれの光軸にもほぼ直交する方向へ延び、前記支持板によって前記直交する方向へ移動可能に支持されるピンと、前記直交する方向へ延び、前記支持板にねじ込まれるとともに前記ディスプレイ部に回転可能に連結されたねじとで構成されていることを特徴とする。
【発明の効果】
【００１１】
この発明によれば、ディスプレイ部の位置を調整することができる。
【発明を実施するための最良の形態】
【００１２】
以下、この発明の実施の形態を図面に基づいて説明する。
【００１３】
図１はこの発明の第１実施形態に係るアイグラスディスプレイの一部を切り欠いた状態の斜視図である。
【００１４】
図１に示すように、このアイグラスディスプレイはフレーム３と左右のレンズ５，６とディスプレイ部７とを備える。
【００１５】
フレーム３は左右のリム３１，３２と左右のテンプル３３，３４とブリッジ３５とを有する。左右のリム３１，３２はいずれも環状である。左リム３１は左レンズ５を保持している。左リム３１の内周面の上面及び下面にはそれぞれ溝３１ａ，３１ｂが二重に形成されている。溝３１ａ，３１ｂは左レンズ５の光軸にほぼ直交する方向へ延びている。溝３１ａ，３１ｂの長さは後述するコンバイナ光学系８の左右方向よりも長い。溝３１ａ，３１ｂは左レンズ５の前方に位置する。右リム３２は右レンズ６を保持している。左テンプル３３はほぼ棒状であり、左リム３１に連結されている。右テンプル３４はほぼ棒状であり、右リム３２に連結されている。ブリッジ３５は左右のリム３１，３２を結合している。
【００１６】
左レンズ５は透明な樹脂製であり、アイグラスディスプレイの使用者の左眼の視力を矯正する。左レンズ５が左リム３１に保持されたとき、左レンズ５の光軸は左眼の瞳を通る。
【００１７】
右レンズ６は透明な樹脂製であり、アイグラスディスプレイの使用者の右眼の視力を矯正する。右レンズ６が右リム３２に保持されたとき、右レンズ６の光軸は右眼の瞳を通る。
【００１８】
ディスプレイ部７はコンバイナ光学系８と表示光学系９とを有する。
【００１９】
コンバイナ光学系８はほぼ板状であり、左リム３１の溝３１ａに保持されている。そして左右のレンズ５，６のいずれの光軸にもほぼ直交する方向へ移動可能に支持されている。コンバイナ光学系８は透明なプラスチック板８１と導光板（図示せず）とその導光板の一方の端面に設けられたミラー（図示せず）と導光板の他端面に設けられたハーフミラー（図示せず）とを有する。導光板はプラスチック板８１に埋設されている。ミラーは導光板の一端部に設けられ、表示光学系９から出射された光を反射し、導光板内に導き入れる。ハーフミラーは導光板の他端部に設けられ、導光板内に入射した光束を左眼に向けて反射させるとともに、左レンズ５に入射した外界光束を透過させ、２つの光束を重畳して眼に入射させる。
【００２０】
表示光学系９は図示しない例えば透過型ＬＣＤと図示しないＬＥＤと図示しない集光レンズとを有する。表示光学系９は、プラスチック板８１の前面の一端部に固定されている。
【００２１】
次に、このアイグラスディスプレイの動作について説明する。
【００２２】
表示光学系９のＬＥＤの光は透過型ＬＣＤに照射される。
【００２３】
コンバイナ光学系８の一端部に照射された光はミラーで反射され、導光板内に入射する。導光板内に入射した光は導光板内で全反射を繰り返し、導光板の他端部に達する。導光板の他端部に達した光はハーフミラーで反射され、左レンズ５を透過した外界光とともに左眼に入り、映像として認識される。
【００２４】
コンバイナ光学系８のハーフミラーと使用者の左眼の瞳とが左レンズ５の光軸上に位置していない場合、コンバイナ光学系８を溝３１ａ，３１ｂに沿って移動させて、ハーフミラーと左眼の瞳とが左レンズ５の光軸上に位置するように調整する。
【００２５】
この実施形態によれば、左レンズ５に対するディスプレイ部７の左右方向（使用者から見たときの左右方向）の位置を調整することができる。
【００２６】
図２はこの発明の第２実施形態に係るアイグラスディスプレイの一部を切り欠いた状態の斜視図である。
【００２７】
第１実施形態では、ディスプレイ部７は左レンズ５の前方に位置しているが、第２実施形態では、図２に示すように、左レンズ２０５はフレーム２０３の左リム２３１の前方に配置され、ディスプレイ部２０７は左レンズ２０５の後方に配置されている。
【００２８】
ディスプレイ部２０７のコンバイナ光学系２０８は左リム２３１の溝２３１ａ，２３１ｂに左右のレンズ２０５，６のそれぞれの光軸にほぼ直交する方向へ移動可能に保持されている。
【００２９】
ディスプレイ部２０７の表示光学系２０９はコンバイナ光学系２０８の後面に固定されている。
【００３０】
第２実施形態によれば、第１実施形態と同様の効果を得ることができる。
【００３１】
図３はこの発明の第３実施形態に係るアイグラスディスプレイの斜視図、図４は図３に示すアイグラスディスプレイの位置調整機構の概略断面図である。
【００３２】
図３、４に示すように、フレーム３０３の左リム３３１の外側側面には左支持板３３６が結合され、フレーム３０３の右リム３３２の外側側面には右支持板３３７が結合されている。
【００３３】
左右の支持板３３６，３３７には、それぞれ２つの孔３３６ａ，３３７ａと、１つのねじ孔３３６ｂ，３３７ｂとが形成されている。
【００３４】
左リム３３１は左レンズ３０５だけを保持する。このため、左リム３３１の厚みは第１実施形態の左リム３１に比べて薄い。右リム３３２の厚さは左リム３３１の厚さに等しい。
【００３５】
ディスプレイ部３０７のコンバイナ光学系３０８は左レンズ３０５の後方に位置している。ディスプレイ部３０７の表示光学系３０９の側面には２つのピン３９１が設けられている。
【００３６】
ピン３９１は孔３３６ａにスライド可能に挿入されている。これにより、ディスプレイ部３０７は左右のレンズ３０５，６の左右方向（使用者から見て左右方向）へスライド可能である。
【００３７】
ねじ孔３３６ｂにはねじ３３８がねじ込まれている。ねじ３３８の先端部は表示光学系３０９に回転可能に連結されている。したがって、ねじ３３８のねじ孔３３６ｂに対するねじ込み量によってディスプレイ部３０７は左右のレンズ３０５，６の左右方向への移動量が決まる。
【００３８】
ディスプレイ部３０７のピン３９１を右支持板３３７の孔３３７ａに挿入し、ねじ３３８をねじ孔３３７ｂにねじ込み、表示光学系３０９に回転可能に連結すれば、ディスプレイ部３０７をフレーム３０３の右側に配置することができる。この時ディスプレイ部３０７は天地方向を逆にして配置するため、表示光学系３０９に表示される画像も図示しない操作部で天地方向を逆転させておく。
【００３９】
第３実施形態では、左右の支持板３３６，３３７とピン３９１とねじ３３８とで位置調整機構（位置調整手段）が構成されている。
【００４０】
第３実施形態によれば、第１実施形態と同様の効果を得ることができるとともに、ディスプレイ部３０７をフレーム３０３の左右のいずれの側にも配置することができる。
【００４１】
なお、上述の実施形態では、左右のレンズ５，２０５，３０５，６は視力を矯正するレンズであるが、左右のレンズ５，２０５，３０５，６は視力を矯正しないレンズでも構わない。
【図面の簡単な説明】
【００４２】
【図１】図１はこの発明の第１実施形態に係るアイグラスディスプレイの一部を切り欠いた状態の斜視図である。
【図２】図２はこの発明の第２実施形態に係るアイグラスディスプレイの一部を切り欠いた状態の斜視図である。
【図３】図３はこの発明の第３実施形態に係るアイグラスディスプレイの斜視図である。
【図４】図４は図３に示すアイグラスディスプレイの位置調整手段の概略断面図である。
【符号の説明】
【００４３】
３，２０３，３０３：フレーム、３１，２３１，３３１：左リム、３１ａ，２３１ａ：溝（位置調整手段）、３１ｂ，２３１ｂ：溝（位置調整手段）、３２，３３２：右リム、３３：左テンプル、３４：右テンプル、３５：ブリッジ、３３６，３３７：支持板、３３８：ねじ、５，２０５，３０５：左レンズ、６：右レンズ、７，２０７，３０７：ディスプレイ部、９，２０９，３０９：表示光学系、３９１：ピン。
【図１】
2008061051.tif 000003
【図２】
2008061051.tif 000004
【図３】
2008061051.tif 000005
【図４】
2008061051.tif 000006